(57)【要約】【課題】第三者による悪戯を防止しつつ、メンテナンスの際にも簡単に操作したり設定したりすることが可能な手乾燥装置を提供すること。【解決手段】この手乾燥装置１は、使用者の手を乾燥させる手乾燥部への使用者の手の挿入を検知するために信号を出力するセンサ発信部１２ａ1，１２ａ2，１２ａ3と、そこから出力される信号を受信し、その受信に応じて検知情報を出力するセンサ受信部１２ｂとを備えるセンサと、受信部１２ｂから出力される検知情報を受け付けることで、手乾燥部へ空気を吹き出すファンモータ３４ｆ，３４ｒを駆動させるＣＰＵ３０と、を備え、ＣＰＵ３０は、予め特定されている携帯電話機Ｃ１〜Ｃ５から送信される動作モード信号をセンサ受信部１２ｂが受信した場合には、その受信した動作モード信号に基づく動作モードを実行する。【選択図】図７
2010201073.tif 000002
【特許請求の範囲】
【請求項１】
送風によって使用者の手を乾燥させる手乾燥装置であって、
使用者の手を乾燥させる手乾燥部への使用者の手の挿入を検知するために信号を出力する送信部と、この送信部から出力される信号を受信し、その受信に応じて検知情報を出力する受信部とを備えるセンサと、
前記受信部から出力される検知情報を受け付けることで、前記手乾燥部へ空気を吹き出す送風機を駆動させる制御手段と、を備え、
前記制御手段は、予め特定されている無線装置から送信される動作モード信号を前記受信部が受信した場合には、その受信した動作モード信号に基づく動作モードを実行することを特徴とする手乾燥装置。
【請求項２】
前記無線装置には、複数の動作モードをそれぞれ指示するための複数の送信データが予め格納されており、
前記無線装置において前記複数の送信データから少なくとも一つの送信データを選択し、その選択した送信データを前記受信部に送信することで、前記制御手段が前記特定の動作モードを実行することを特徴とする請求項１に記載の手乾燥装置。
【請求項３】
前記送信データは、コンピュータからネットワークを介して前記無線装置に配信されるものであることを特徴とする請求項２に記載の手乾燥装置。
【請求項４】
前記無線装置から送信されるモード変更信号を前記受信部が受信した場合には、その受信したモード変更信号に基づいて、前記制御手段は前記動作モード信号と前記動作モードとの対応関係を変更することを特徴とする請求項１に記載の手乾燥装置。
【請求項５】
前記無線装置から送信される動作モード信号を受信すると、前記制御手段は動作モード信号に対応する動作モードの実行を報知することを特徴とする請求項１に記載の手乾燥装置。
【請求項６】
前記動作モードは、前記送風機からの送風が清掃に適した状態のものとなる清掃モードを含むことを特徴とする請求項１に記載の手乾燥装置。
【請求項７】
前記送信部は前記手乾燥部よりも手前側に配置され、前記受信部は前記手乾燥部よりも壁側に配置されていることを特徴とする請求項１に記載の手乾燥装置。
【請求項８】
前記受信部は、複数の受光素子によって構成され、その複数の受光素子の少なくとも一つの受光素子が前記手乾燥部よりも上方に指向されて配置されていることを特徴とする請求項１に記載の手乾燥装置。
【請求項９】
前記無線装置から送信される信号に前記動作モード信号とは異なる割り込み信号を含み、前記受信部がその割り込み信号を受信すると、前記制御手段は前記送信部からの信号の送信を停止し、受信した前記動作モード信号に基づく所定の動作モードを実行することを特徴とする請求項１に記載の手乾燥装置。
【発明の詳細な説明】
【技術分野】
【０００１】
本発明は、手乾燥装置に関する。
【背景技術】
【０００２】
近年、特に公共のトイレ等においては、手洗い後に手を拭き取るためのペーパータオルを削減する傾向が強まっており、ペーパータオルの代わりに手乾燥装置を設置する場合が増えている。このような手乾燥装置は、洗面ボウルが配置されている場所からは少し離れた洗面カウンター上の壁面や、洗面カウンターから離れたトイレ空間の壁面等に設置されている場合が多い。
【０００３】
従来の手乾燥装置は、動作モードを設定する設定スイッチを備えている。従来はその設定スイッチを、操作性を考慮して手乾燥装置の上部や側面に設けていた。このように操作性を重視して手乾燥装置の上部や側面に設定スイッチを設けると、第三者によって勝手に設定スイッチが操作されてしまう場合がある。そこで、第三者によって勝手に設定スイッチが操作されることがないように、手乾燥装置の底面や側面の下方に設定スイッチを設けるものもあった。設定スイッチを手乾燥装置の底面や側面の下方に設けると第三者に勝手に操作されにくくなるものの、清掃担当者が操作しにくくなるという課題があった。そこで、下記特許文献１において提案されている手乾燥装置では、隠蔽手段を設けて設定スイッチを第三者に分かり難いものとしている。
【先行技術文献】
【特許文献】
【０００４】
【特許文献１】特開２００６−１８７３０８号公報
【発明の概要】
【発明が解決しようとする課題】
【０００５】
上述した従来の技術では、設定スイッチを設けて、それを物理的に水受け容器といった隠蔽手段で覆うものである。従って、隠蔽手段の外観を工夫すれば設定スイッチを覆っているものであることを極力知られないようにすることはできるけれども、設定スイッチを覆っているものであることが一度分かってしまうと、隠蔽手段としての効果は著しく減退してしまう。
【０００６】
また、隠蔽されることを前提とする設定スイッチでは、認識しやすい場所に設けたり、モードの設定を分かりやすく表示する表示部を設けたりすることが困難であるため、必ずしも操作性のよいものではなかった。
【０００７】
本発明はこのような課題に鑑みてなされたものであり、その目的は、第三者による悪戯を防止しつつ、メンテナンスの際にも簡単に操作したり設定したりすることが可能な手乾燥装置を提供することにある。
【課題を解決するための手段】
【０００８】
上記課題を解決するために本発明に係る手乾燥装置は、送風によって使用者の手を乾燥させる手乾燥装置であって、使用者の手を乾燥させる手乾燥部への使用者の手の挿入を検知するために信号を出力する送信部と、この送信部から出力される信号を受信し、その受信に応じて検知情報を出力する受信部とを備えるセンサと、前記受信部から出力される検知情報を受け付けることで、前記手乾燥部へ空気を吹き出す送風機を駆動させる制御手段と、を備え、前記制御手段は、予め特定されている無線装置から送信される動作モード信号を前記受信部が受信した場合には、その受信した動作モード信号に基づく動作モードを実行することを特徴とする。
【０００９】
本発明によれば、この手乾燥装置とは別の無線装置から送信される動作モード信号を受信部が受信した場合に、制御手段がその動作モード信号に基づく動作モードを実行するので、手乾燥装置には設定スイッチや動作スイッチといったスイッチ類を設ける必要が必ずしも無くなり、第三者による悪戯を防止することができる。また、無線装置は予め特定されているので、その無線装置においては動作モードを設定しやすく且つ操作しやすいように構成することができると共に、その無線装置を所持する特定多数のメンテナンス担当者にのみ動作モードの設定を可能ならしめることができる。更に本発明では、無線装置から送信される動作モード信号を、手乾燥部への使用者の手の挿入を検知するためのセンサを構成する受信部において受信するように構成しているので、別途新たな受信手段を設ける必要が無く、全体としての低コスト化を図ることができる。
【００１０】
本願請求項２に係る手乾燥装置では、前記無線装置には、複数の動作モードをそれぞれ指示するための複数の送信データが予め格納されており、前記無線装置において前記複数の送信データから少なくとも一つの送信データを選択し、その選択した送信データを前記受信部に送信することで、前記制御手段が前記特定の動作モードを実行することを特徴とする。
【００１１】
この態様では、特定の動作モードをそれぞれ指示するための送信データを予め無線装置に格納するので、その送信データを無線データ通信網といった公共通信網を用いて各無線装置に配信することができ、無線装置を汎用なものとしても特定の動作モードを指示することができる。そのように特定の無線装置に配信した送信データに基づいて特定の動作モードを指示し、手乾燥装置の受信部にその送信データを送信することで手乾燥装置に特定の動作モードを認識させることができるので、全く関係の無い第三者が動作モードを指示するデータを勝手に受信部に送信することを防止でき、メンテナンス担当者にとっての使い勝手の向上と第三者の悪戯防止とを両立することができる。
【００１２】
本願請求項３に係る手乾燥装置では、前記送信データは、コンピュータからネットワークを介して前記無線装置に配信されるものであることを特徴とする。
【００１３】
この態様では、送信データをコンピュータからネットワークを介して無線装置に配信するので、送信データが格納されていない無線装置に送信データを配信して予め格納させることができる。また、送信データが格納されている無線装置に対して新たな送信データを配信することで、送信データの更新を容易に行うことができる。
【００１４】
本願請求項４に係る手乾燥装置では、前記無線装置から送信されるモード変更信号を前記受信部が受信した場合には、その受信したモード変更信号に基づいて、前記制御手段は前記動作モード信号と前記動作モードとの対応関係を変更することを特徴とする。
【００１５】
上述したように本発明では、送信データを配信することから、何らかの要因でその送信データを第三者が入手し、結果として動作モード信号を生成する手段が流布してしまう可能性がある。そのため、第三者による悪戯防止の観点から、動作モード信号と動作モードとの対応関係を変更すべくモード変更信号を無線装置から受信部へと送信可能に構成したものである。この態様によれば、モード変更信号を受信すると制御手段が動作モード信号と動作モードとの対応関係を変更するので、以降は変更後の対応関係に基づく動作モード信号を送信することで所定の動作モードを実行させることが可能となる。
【００１６】
本願請求項５に係る手乾燥装置では、前記無線装置から送信される動作モード信号を受信すると、前記制御手段は動作モード信号に対応する動作モードの実行を報知することを特徴とする。
【００１７】
この態様によれば、動作モード信号の受信に基づく動作モードの実行を報知するので、無線装置を操作するメンテナンス担当者が動作モードの実行を確実に認識することができる。
【００１８】
本願請求項６に係る手乾燥装置では、前記動作モードは、前記送風機からの送風が清掃に適した状態のものとなる清掃モードを含むことを特徴とする。
【００１９】
この態様によれば、動作モードが清掃モードを含むので、その清掃モードを選択的に実行することが可能となり、送風機からの送風を清掃に適した状態のものとすることができる。清掃モードの具体的な実行内容としては、送風機の作動を抑制して手乾燥部への送風を停止したり、逆に送風機を所定時間連続して作動するようにして手乾燥部を乾燥させたり、手乾燥部が手乾燥装置と洗面器との間の閉じられていない空間に設けられている場合には、送風機から吹き出される空気の向きを洗面器のリムといった乾燥対象部位へ向けるように風向きを制御したり、といったものがある。このように、それぞれの実行内容自体はメンテナンス等に必要ではあるけれども、一般の使用者には実行して欲しくないモードの実行は無線装置からの動作モード信号によって実行することができるので、一般の使用者にとって利便性が低下してしまう動作モードを悪戯によって実行されることを確実に抑制でできる。
【００２０】
本願請求項７に係る手乾燥装置では、前記送信部は前記手乾燥部よりも手前側に配置され、前記受信部は前記手乾燥部よりも壁側に配置されていることを特徴とする。
【００２１】
この態様によれば、受信部が壁側に配置されるので、受信部に対して無線装置から容易且つ確実に動作モード信号を送信することができ、確実に所定の動作モードを実行することができる。
【００２２】
本願請求項８に係る手乾燥装置では、前記受信部は、複数の受光素子によって構成され、その複数の受光素子の少なくとも一つの受光素子が前記手乾燥部よりも上方に指向されて配置されていることを特徴とする。
【００２３】
そもそも手乾燥装置の受信部は送信部から送信される信号を受信するものであるから、受信部を構成する受光素子は送信部を指向して配置されるものである。しかしながらこの態様では、受信部を構成する複数の受光素子の少なくとも一つの受光素子を手乾燥部よりも上方に指向するように配置しているので、無線装置によって手乾燥部の上方から送信される動作モード信号といった信号を確実に受信することができる。従って、手乾燥部の中に無線装置を挿入して信号を送信するといった動作をする必要が無くなり、操作性が向上し使い勝手が良好なものとなる。
【００２４】
本願請求項９に係る手乾燥装置では、前記無線装置から送信される信号に前記動作モード信号とは異なる割り込み信号を含み、前記受信部がその割り込み信号を受信すると、前記制御手段は前記送信部からの信号の送信を停止し、受信した前記動作モード信号に基づく所定の動作モードを実行することを特徴とする。
【００２５】
この態様によれば、無線装置から送信される割り込み信号を受信部が受信すると、送信部から送信される信号を停止するので、動作モード信号を確実に受信することが可能となる。
【発明の効果】
【００２６】
本発明によれば、第三者による悪戯を防止しつつ、メンテナンスの際にも簡単に操作したり設定したりすることが可能な手乾燥装置を提供することができる。
【図面の簡単な説明】
【００２７】
【図１】本発明の実施の形態である手乾燥装置を洗面所に設置した状態を示す斜視図である。
【図２】図１に示す手乾燥装置の斜視図である。
【図３】図１に示す手乾燥装置の内部構造を示す斜視図である。
【図４】図１に示す手乾燥装置の一部省略正面図である。
【図５】図１に示す手乾燥装置の一部省略背面図である。
【図６】図１に示す手乾燥装置のセンサの配置状態を示す概略平面図である。
【図７】手乾燥装置及び携帯電話機を含むデータ授受システムの概略構成を示す図である。
【図８】図７に示す管理端末のディスプレイに表示される画面の一例を示す図である。
【図９】図７に示す携帯電話機のディスプレイに表示される画面の一例を示す図である。
【図１０】図７に示す手乾燥装置の動作を示すフローチャートである。
【発明を実施するための形態】
【００２８】
以下、添付図面を参照しながら本発明の実施の形態について説明する。説明の理解を容易にするため、各図面において同一の構成要素に対しては可能な限り同一の符号を付して、重複する説明は省略する。
【００２９】
以下、図面に基づいて、本発明の実施の形態である手乾燥装置について説明する。図１は本発明の実施の形態である手乾燥装置を洗面所に設置した状態を示す斜視図、図２は手乾燥装置の斜視図、図３は手乾燥装置の内部構造を示す斜視図、図４は手乾燥装置の一部省略正面図、図５は手乾燥装置の一部省略背面図である。また、図６は図１に示す手乾燥装置のセンサおよび送風路の配置状態を示す概略平面図である。
【００３０】
図１に示すように、本実施形態の手乾燥装置１は、例えば、洗面所などの壁面Ｗに設置されている水栓２４付きの洗面器２０の側方に設置され、水栓２４および洗面器２０を利用して手を洗った人が、濡れた手を乾燥するために使用するものである。詳細は後述するけれども、本実施形態では手乾燥装置１の動作モードを、メンテナンス担当者Ｍが使用する無線装置としての携帯電話機Ｃ１によって制御するものとしている。
【００３１】
図２〜図５に示すように、手乾燥装置１は、開口凹部４の下方に電動送風機１３ｆ，１３ｒが内蔵されたハウジング２と、ハウジング２の上面に開口部３を有する状態で当該ハウジング２内に形成された開口凹部４（手乾燥部）と、電動送風機１３ｆ，１３ｒから送給される空気流を開口凹部４内へ吹き出すために手前側部材１０ｆおよび壁面側部材１０ｒにそれぞれ水平方向に直線状に等間隔に列設された複数のノズル５ｆ，５ｒとを備えている。
【００３２】
また、開口凹部４を構成するハウジング２の右側面には側面部材７ａが着脱可能に装着され、側面部材７ａには、水滴の通過を防止するルーバー６を有する台形状の通気口９が設けられている。なお、ハウジング２の左側面にも側面部材７ａと鏡面対称な形状を有する側面部材７ｂが着脱可能に装着されている。そして、開口凹部４内に差し込まれた濡れた手から吹き飛ばされた水滴を回収するため、ハウジング２の底部に、回収容器１１が着脱可能に取り付けられている。
【００３３】
電動送風機１３ｆは、送風路１４を介して、手前側部材１０ｆに設けられたノズル５ｆへ空気流を送給し、電動送風機１３ｒは、送風路１５を介して、壁面側部材１０ｒに設けられたノズル５ｒへ空気流を送給する。また、送風路１４の一部をなす分岐送風路１４ａ，１４ｂは、隣り合うセンサ発信部１２ａの間、すなわち各センサ発信部１２ａの横側に配置され、送風路１５の一部をなす分岐送風路１５ａ，１５ｂは、センサ受信部１２ｂの左右両横側に配置されている。
【００３４】
また、開口部３から開口凹部４内に差し込まれた手を検知して電動送風機１３ｆ，１３ｒを作動させるため、図８に示すように、手前側部材１０ｆのノズル５ｆの下方には３個のセンサ発信部１２ａ1，１２ａ2，１２ａ3が水平方向に等間隔に列を成すように列状配置され、壁面側部材１０ｒのノズル５ｒの下方には１個のセンサ受信部１２ｂが水平方向の中央部に配置されている。
【００３５】
図６に示すように、センサ発信部１２ａ1，１２ａ2，１２ａ3およびセンサ受信部１２ｂは、３つのセンサ発信部１２ａ1，１２ａ2，１２ａ3から発信された信号が、一つのセンサ受信部１２ｂへ送信するように、その位置および姿勢が設定されている。なお、本実施形態では、センサ発信部１２ａ1，１２ａ2，１２ａ3としてＬＥＤ（発光ダイオード、発光素子）を用い、センサ受信部１２ｂとしてＰＤ（フォトＩＣ、受光素子）を用いているが、これらに限定するものではない。また、センサ受信部１２ｂを複数の受光素子によって構成し、その中の少なくとも一つを開口凹部４の上方に指向させて配置することも好ましい。後述するようにセンサ受信部１２ｂは、センサ発信部１２ａ1，１２ａ2，１２ａ3から発信される信号のみならず、開口凹部４の上方から無線装置によって送信される信号をも受信するためである。
【００３６】
本実施形態では、センサ発信部１２ａ1，１２ａ2，１２ａ3全てが所定のパルスで発光し、信号をセンサ受信部１２ｂに向けて発信し続けている。開口凹部４内に手などが挿入されていなければ、センサ発信部１２ａ1，１２ａ2，１２ａ3全てが発信する信号は、センサ受信部１２ｂで受信し続けるが、ひとたび手を挿入して、センサ発信部１２ａ1，１２ａ2，１２ａ3からの信号のうち、いずれか一つでも信号が遮られると検知状態となる。
【００３７】
より具体的には、センサ発信部１２ａ1，１２ａ2，１２ａ3においては、例えば、２０ミリ秒おきに１０ミリ秒ずつひとつの発信部から信号を発信する動作を順番に行うことを繰り返し、この発信に同期して、センサ受信部１２ｂで信号を受信する。ひとつのセンサ発信部から発信された信号が、受信されないと検知開始となり、信号パルスが５回続けて受信されないと検知確定となって、ファンモータを動作させるなどの制御を行う。
【００３８】
図６に示すように、開口凹部４内に差し込まれた手を検知する基準点として、検知ポイント１９ａ，１９ｂ，１９ｃを想定しており、センサ発信部１２ａ1，１２ａ2，１２ａ3とセンサ受信部１２ｂを結ぶ直線が、それぞれ検知ポイント１９ａ，１９ｂ，１９ｃを通過する。検知ポイント１９ａ，１９ｂ，１９ｃは所定の間隔をあけて配置されているが、この間隔は、たとえば、片手の掌の横幅よりもやや小さい寸法としておけば、開口凹部４内のどの場所に手を差し込んでも手を検知できる。実際には検知ポイント以外でも、センサ発信部１２ａ1，１２ａ2，１２ａ3とセンサ受信部１２ｂを結ぶ直線を手などで遮れば、検知となる。
【００３９】
検知ポイント１９ｂでは、センサ発信部１２ａ1および１２ａ3とセンサ受信部１２ｂを結ぶ直線が、挿入した手と略直交するので、指の隙間などがあれば信号が通過してセンサ受信部１２ｂで受信してしまうので検知漏れとなってしまう。一方、検知ポイント１９ａおよび１９ｃでは、センサ発信部１２ａ1および１２ａ3とセンサ受信部１２ｂを結ぶ直線が斜めに通過しているため、指の隙間を信号が通過しにくくなり、検知漏れは生じにくい。
【００４０】
開口凹部４に両手を挿入する場合は、検知ポイント１９ｂは両手の間に位置するため手を検知しにくいが、検知ポイント１９ａ，１９ｃの少なくとも一方は右手または左手を検知するので、実際の使用上、検知漏れは生じない。また開口凹部４に片手を挿入する場合は、検知ポイント１９ａ，１９ｂ，１９ｃのいずれかひとつ以上は検知する。
【００４１】
また、図６に示すように、検知ポイント１９ａおよび１９ｃで、センサ発信部１２ａ1および１２ａ3とセンサ受信部１２ｂを結ぶ直線が斜めに通過するようにしたため、センサ発信部１２ａ1および１２ａ3は開口凹部４の両端部寄りに配置されている。
【００４２】
続いて、図７を参照しながら、手乾燥装置１と無線装置としての携帯電話機Ｃ１との間のデータの授受や、携帯電話機Ｃ１へのデータ配信等について説明する。図７は、手乾燥装置１及び携帯電話機Ｃ１を含むデータ授受システムの概略構成を示す図である。図７に示すように、このデータ授受システムは、手乾燥装置１と、携帯電話機Ｃ１及び携帯電話機Ｃ２，Ｃ３，Ｃ４，Ｃ５と、基地局ＢＳと、ネットワークＮＷと、管理サーバＣＳ及び管理データベースＤＢと、管理端末ＰＣとを備えている。
【００４３】
手乾燥装置１の制御的な構成は、ＣＰＵ３０とＲＡＭ３１とＲＯＭ３２とからなる制御手段部分と、その制御手段部分にインターフェイスを介して信号を入出力する部分が接続されている。制御手段部分に対して信号を入力する部分としては、電源スイッチ４０と、ヒータスイッチ４１と、ファン回転切替スイッチ４２と、清掃モードスイッチ４３と、センサ受信部１２ｂとが接続されている。制御手段部分から信号が出力される部分としては、スピーカー３３と、ファンモータ３４ｆ，３４ｒと、ヒータ３５ｆ，３５ｒと、センサ発信部１２ａ1，１２ａ2，１２ａ3とが接続されている。
【００４４】
電源スイッチ４０が操作されると、手乾燥装置１の主電源をＯＮ又はＯＦＦする信号がＣＰＵ３０へと出力される。この信号に基づいて、ＣＰＵ３０は手乾燥装置１の主電源をＯＮ又はＯＦＦする。ヒータスイッチ４１が操作されると、ヒータ３５ｆ及びヒータ３５ｒへの通電をＯＮ又はＯＦＦすることを指示する信号がＣＰＵ３０へと出力される。この信号に基づいて、ＣＰＵ３０は、ヒータ３５ｆ及びヒータ３５ｒへの通電をＯＮ又はＯＦＦする。尚、ヒータ３５ｆは上述した電動送風機１３ｆから吹き出される空気を暖めることができるように配置されており、ヒータ３５ｒは上述した電動送風機１３ｒから吹き出される空気を暖めることができるように配置されている。
【００４５】
ファン回転切替スイッチ４２が操作されると、ファンモータ３４ｆ及びファンモータ３４ｒへの制御電圧を調整することを指示する信号がＣＰＵ３０へと出力される。この信号に基づいて、ＣＰＵ３０は、ファンモータ３４ｆ及びファンモータ３４ｒの制御電圧を上昇させてそれらの回転数を上昇させたり、ファンモータ３４ｆ又はファンモータ３４ｒの制御電圧を下降させてそれらの回転数を下降させたりといった制御を実行する。尚、ファンモータ３４ｆは上述した電動送風機１３ｆに組み込まれているものであり、ファンモータ３４ｒは上述した電動送風機１３ｒに組み込まれているものである。
【００４６】
清掃モードスイッチ４３が操作されると、電動送風機１３ｆ及び電動送風機１３ｒからの送風が清掃に適したものとなるように制御することを指示する信号がＣＰＵ３０へと出力される。この信号に基づいて、ＣＰＵ３０は、清掃モードを実行する。清掃モードの具体的な実行内容としては、電動送風機１３ｆ及び電動送風機１３ｒの作動を抑制して手乾燥部である開口凹部４への送風を停止したり、逆に電動送風機１３ｆ及び電動送風機１３ｒを所定時間連続して作動するようにして手乾燥部である開口凹部４を乾燥させたりすることができる。また本実施形態では開口凹部４を備える手乾燥装置１を例示したけれども、手乾燥部が手乾燥装置と洗面器との間の閉じられていない空間に設けられているような態様でもこの清掃モードは有効である。具体的には、送風機から吹き出される空気の向きを洗面器のリムといった乾燥対象部位へ向けるように風向きを制御することが想定される。このようにすれば、掃除をした洗面器の乾燥させたい部分を乾燥させることもできる。
【００４７】
センサ受信部１２ｂは、上述した機能に加えて、無線装置としての携帯電話機Ｃ１〜Ｃ５から送信される動作モード信号を受信し、ＣＰＵ３０に出力する機能を備えている。ＣＰＵ３０は、その動作モード信号に基づいて所定の動作モードを実行する。例えば、電源切替についての動作モード信号を受け付けると、ＣＰＵ３０は、電源スイッチ４０からの信号入力有無に拘らず、手乾燥装置１の主電源をＯＮ又はＯＦＦに切り替える。また、ヒータ切替についての動作モード信号を受け付けると、ＣＰＵ３０は、ヒータスイッチ４１からの信号入力有無に拘らず、ヒータ３５ｆ，３５ｒのＯＮ又はＯＦＦを切り替える。また、風量切替についての動作モード信号を受け付けると、ＣＰＵ３０は、ファン回転切替スイッチ４２からの信号入力有無に拘らず、ファンモータ３４ｆ，３４ｒのＯＮ又はＯＦＦを切り替える。また、清掃モード切替についての動作モード信号を受け付けると、ＣＰＵ３０は、清掃モードスイッチ４３からの信号入力有無に拘らず、ＣＰＵ３０は清掃モードを実行する。ＣＰＵ３０は、このように動作モード信号を受信したことに応じて動作モードを実行する場合には、スピーカー３３から音声にてその実行中であることを報知する。
【００４８】
更に、センサ受信部１２ｂが、モード変更信号を受信すると、ＣＰＵ３０は、上述した動作モード信号と実行する動作モードとの対応関係を変更する。例えば、電源切替についての動作モード信号として定義されていた信号をヒータ切替についての動作モード信号として再定義したり、当初は動作モード信号とは認識されていなかった新たな信号に対して動作モードを関連付けたりする。このようにすることで、当初の動作モード信号が第三者に渡ったとしても、その動作モード信号を用いては当初の動作モードを実行しないように構成することが可能となる。
【００４９】
また、無線装置である携帯電話機Ｃ１〜Ｃ５から、動作モード信号とは異なる割り込み信号を送信することが可能なように構成されている。携帯電話機Ｃ１〜Ｃ５から割り込み信号が送信され、センサ受信部１２ｂが受信すると、ＣＰＵ３０は、センサ発信部１２ａ1，１２ａ2，１２ａ3からの信号の送信を停止する。このように、割り込み信号の受信によってセンサ発信部１２ａ1，１２ａ2，１２ａ3からの信号の送信を停止することで、センサ受信部１２ｂがより確実に動作モード信号やモード変更信号を受信することができる。割り込み信号は、通常の信号とは明らかに判別できるものであることが好ましく、通常の信号とは波形・周期・波高等が全く異なる乱雑な信号であることが好ましい。
【００５０】
携帯電話機Ｃ１〜Ｃ５から送信される動作モード信号は、データの階層を変えて捕らえれば動作モードを特定するための送信データである。この送信データは、携帯電話機Ｃ１〜Ｃ５を使用するメンテナンス担当者によって選択され送信されるものである。携帯電話機Ｃ１〜Ｃ５に格納される送信データは、管理サーバＣＳが管理する管理データベースＤＢに格納されている。管理データベースＤＢに格納されている送信データは、管理端末ＰＣを操作することによってネットワークＮＷを経由し、基地局ＢＳから携帯電話機Ｃ１〜Ｃ５へと配信される。
【００５１】
ここで、管理端末ＰＣの画面表示の一例を図８に示す。以降の説明では、携帯電話機Ｃ１を使用するメンテナンス担当者は「Ａさん」であり、携帯電話機Ｃ２を使用するメンテナンス担当者は「Ｂさん」であり、携帯電話機Ｃ３を使用するメンテナンス担当者は「Ｃさん」であり、携帯電話機Ｃ４を使用するメンテナンス担当者は「Ｄさん」であり、携帯電話機Ｃ５を使用するメンテナンス担当者は「Ｅさん」である。
【００５２】
図８に示す例では、全ての動作モードを切り替えることができるのは、「Ａさん」と「Ｂさん」である。清掃モードのみを切り替えることができるのは、「Ｃさん」である。電源切替モード、ヒータ切替モード及び風量切替モードのみを切り替えることができるのは、「Ｄさん」である。また、モード変更を実行できるのは、「Ｅさん」である。清掃モードには送信データとしての送信コード「１１１」が割り当てられている。同様に、電源切替モードには送信コード「２２２」が、ヒータ切替モードには送信コード「３３３」が、風量切替モードには送信コード「５５５」が、それぞれ割り当てられている。また、モード変更には送信コード「４４４」が割り当てられている。
【００５３】
図８に示す例において、「コード変更」ボタンをクリックすると上述した動作モードと送信コードとの対応関係を変更することができる。また、「登録」ボタンをクリックするとその変更した対応関係を登録したり、新規のユーザを登録したりすることができる。「削除」ボタンをクリックするとユーザを削除することができる。「送信」ボタンをクリックすると、画面に表示されている設定を携帯電話機Ｃ１〜Ｃ５に送信することができる。
【００５４】
全ての動作モードを切り替えることが可能な「Ａさん」が使用する携帯電話機Ｃ１の表示画面の例を図９に示す。図９に示すように、携帯電話機Ｃ１の画面には、送信可能な送信データが全て表示されている。携帯電話機Ｃ１の使用者である「Ａさん」は、この画面によって必要な送信データを選択し、所定の送信操作を行うことで、その送信データ（動作モード信号）を手乾燥装置１に送信することができる。
【００５５】
最後に、動作モードを切り替える際の手乾燥装置１の制御手段部分であるＣＰＵ３０の情報処理について図１０を参照しながら説明する。図１０は動作モードを切り替える際のフローチャートである。
【００５６】
ステップＳ０１では、開口凹部４に使用者の手が挿入されたか判定する。開口凹部４に手が挿入されればステップＳ０８の処理に進み、開口凹部４に手が挿入されなければステップＳ０２の処理に進む。ステップＳ０８では、上述したように電動送風機１３ｆ，１３ｒを駆動して乾燥運転を実行する。
【００５７】
ステップＳ０２では、携帯電話機Ｃ１から割り込み信号が送信され、センサ受信部１２ｂがその割り込み信号を受信したかを判断する。割り込み信号を受信しなければリターンし、割り込み信号を受信すればステップＳ０３の処理に進む。ステップＳ０３では、センサ発信部１２ａ1，１２ａ2，１２ａ3からの信号発信を停止する。
【００５８】
ステップＳ０３に続くステップＳ０４では、センサ受信部１２ｂが運転モード信号である送信コード（送信データ）を受信したか判断する。送信コードを受信しなければリターンし、送信コードを受信すればステップＳ０５の処理に進む。
【００５９】
ステップＳ０５では、送信コードを受信したことをスピーカー３３から報知する。ステップＳ０６では、上述したような動作モードの実行や、動作モードと送信コードとの対応関係の変更が行われる。これらの動作が終了すると、ステップＳ０７においてスピーカー３３からの報知も終了される。
【符号の説明】
【００６０】
１：手乾燥装置
２：ハウジング
３：開口部
４：開口凹部
５ｆ，５ｒ：ノズル
６：ルーバー
７ａ：側面部材
７ｂ：側面部材
９：通気口
１０ｆ：手前側部材
１０ｒ：壁面側部材
１１：回収容器
１２ａ1，１２ａ2，１２ａ3：センサ発信部
１２ｂ：センサ受信部
１３ｆ，１３ｒ：電動送風機
１４：送風路
１４ａ，１４ｂ：分岐送風路
１５：送風路
１５ａ，１５ｂ：分岐送風路
１９ａ，１９ｂ，１９ｃ：検知ポイント
２０：洗面器
２４：水栓
３３：スピーカー
３４ｆ，３４ｒ：ファンモータ
３５ｆ，３５ｒ：ヒータ
４０：電源スイッチ
４１：ヒータスイッチ
４２：ファン回転切替スイッチ
４３：清掃モードスイッチ
ＢＳ：基地局
Ｃ１，Ｃ２，Ｃ３，Ｃ４，Ｃ５：携帯電話機
ＣＳ：管理サーバ
ＤＢ：管理データベース
Ｍ：メンテナンス担当者
ＮＷ：ネットワーク
ＰＣ：管理端末
Ｗ：壁面
【図１】
2010201073.tif 000003
【図２】
2010201073.tif 000004
【図３】
2010201073.tif 000005
【図４】
2010201073.tif 000006
【図５】
2010201073.tif 000007
【図６】
2010201073.tif 000008
【図７】
2010201073.tif 000009
【図８】
2010201073.tif 000010
【図９】
2010201073.tif 000011
【図１０】
2010201073.tif 000012